(57)【要約】【課題】食品等製造工程や液体の供給や移送する際等の様々な場面において、オーバースペックなポンプや、大型の複雑な装置や複数のホース等の部品を必要としないシンプルな工程を可能として、設備や施設のコンパクト化、省エネ化、労力・経費の削減化、分解洗浄性・作業性の向上、衛生管理の強化を図ることができるハンディタイプの小型ポンプを提供する。【解決手段】モーターと該モーターで回転駆動するインペラを内蔵する吸引用配管とを有するハンディタイプのポンプにおいて、横引き用としてタンクに接続するもので、吸引用配管の吸引口をタンク側の横引き用吐出口にヘルール接続で脱着可能に接続し、吸引用配管の吐出口にホースアダプタを脱着可能にヘルール接続する。【選択図】図１
2015206338.tif 000002
【特許請求の範囲】
【請求項１】
モーターと該モーターで回転駆動するインペラを内蔵する吸引用配管とを有するハンディタイプのポンプにおいて、横引き用としてタンクに接続するもので、吸引用配管の吸引口をタンク側の横引き用吐出口にヘルール接続で脱着可能に接続し、吸引用配管の吐出口にホースアダプタを脱着可能にヘルール接続することを特徴とした小型ポンプ。
【請求項２】
タンク側への接続はヘルールレジューサを介する請求項１記載の小型ポンプ。
【請求項３】
吸引用配管のメカニカルシール設置部とハウジングの接合部もヘルール接続とする請求項１または請求項２記載の小型ポンプ。
【請求項４】
ヘルール接続は、ヘルールガスケットを挟み、相互に接合する外フランジ部をヘルールクランプで脱着固定した請求項１乃至請求項３のいずれかに記載の小型ポンプ。
【請求項５】
吸引用配管の吸込口には、狭隘部材を配設した請求項１乃至請求項４のいずれかに記載の小型ポンプ。
【請求項６】
モーターはエアーモーターであり、サイレンサーを付設した請求項１乃至請求項５のいずれかに記載の小型ポンプ。
【請求項７】
吸引用配管は吐出口をほぼ中央に設けた短いもので、モーターで回転駆動するシャフトも太目で、該シャフトに設けるインペラは吐出口管近傍に位置する請求項１乃至請求項６のいずれかに記載の小型ポンプ。
【発明の詳細な説明】
【技術分野】
【０００１】
本発明は、食品や薬品等の製造や、液体の供給や移送する際等の様々な場面で使用可能なハンディタイプの小型ポンプに関するものである。
【背景技術】
【０００２】
食品、医薬品、化粧品等を製造したり、飲料水等の移送をする場合に使用する設備や装置は、原料や製品に雑菌や異物等の混入を防ぐ、分解洗浄等衛生管理のしやすい仕組みや構造が必要不可欠である。
【０００３】
従来、衛生管理の強化が不可欠な食品や薬品等製造工場においては、サニタリー仕様のものが求められ、通常、大量生産や高粘度の液が移送できるものとして、セントリフューガルポンプやロータリーポンプが使用される。図６にロータリーポンプ４１の使用例を示す。
【０００４】
ロータリーポンプ４１は、充填機５２等に接続する三方弁５０やドレイン５１、リリーフ管４８やフィルター４９と組み合わされ、ポンプ一式４０としてロータリーポンプ４１の他に、ベース４５上に設置するカップリング４２、防爆モーター４３、防爆スイッチ４４や、制御盤４６を備える。
【０００５】
一方、従来、食品等の製造工程で使用される小型ポンプとしては、下記特許文献１にもあるが、図７、図８に示すような吸込パイプ６８をタンクに差して使用するハンディポンプ６１がある。
【０００６】
ハンディポンプ６１は、下部に吸込口６２を設けると共に、側部に吐出口６３を設けたハウジング６４の上部にモーター６５、スイッチ６６および取手６７を設ける。そして、ハウジング６４の吸込口６２の下端に吸込パイプ６８を取付けると共に、該吸込パイプ６８の下端に逆流防止装置６９を設け、又ハウジング６４の吐出口６３にバルブ７０を介して吐出ホース７１を取付ける。
【０００７】
さらに、上部にモーター６５を取付けたハウジング６４には、下方および側方の吸込口６２および吐出口６３に連通した直角の吐出流路７２を設ける。
【０００８】
そして、下方の吸込口６２に大径のアウターパイプ７３の上端を取付けると共に、該アウターパイプ７３の内部に、アウターパイプ７３との間に断面円筒状の吸引流路７４を有するように、インナーパイプ７５を挿通し、該インナーパイプ７５は上端がハウジング６４の上壁面に取付けられると共に、インナーパイプ７５の下端はパイプサポート７６でアウターパイプ７３内部に支持する。
【０００９】
該インナーパイプ７５の内部にシャフトサポート７７でシャフト７８を回転自在に支持し、該シャフト７８の上端はハウジング６４を貫通してモーター軸７９に連結すると共に、シャフト７８の下端はインナーパイプ７５下端のキャップ８０を貫通する。
【００１０】
また、シャフト７８の下端にはプロペラ８１のヘッド８２を取付け、プロペラ８１をアウターパイプ７３下端内部の円形状の流入流路８３に配置する。
【００１１】
さらに、該逆流防止装置６９は、第１逆止弁８４、第２逆止弁８５、解除機構８６、第１弁体８７、および、第２弁体８８等からなる。
【先行技術文献】
【特許文献】
【００１２】
【特許文献１】特開２００６−７０７２３号公報（逆流防止型ハンディポンプ）
【発明の概要】
【発明が解決しようとする課題】
【００１３】
前記セントリフューガルポンプやロータリーポンプ等は、ユニットにすると数十万円から数百万円する大型のモーターと一体型になっているものが使用されており、また、それらは精密部品が多く、分解洗浄時の注意や配慮が必要となっている。
【００１４】
ロータリーポンプ４１は、容積式で圧力が高くなるため、充填機５２等に接続する三方弁５０やドレイン５１、リリーフ管４８やフィルター４９の設置が必要であり、ポンプ一式４０としてロータリーポンプ４１の他に、ベース４５上に設置するカップリング４２、防爆モーター４３、防爆スイッチ４４や、制御盤４６が必要となるため、一式で年間約２０万円のメンテナンス費用が掛かる。
【００１５】
このように、部品点数が多い複雑な装置や機械が必要であったため、食品等の少量多品種の製造に対応するには、上記ポンプやその他の製造機械や部品の内部に前製品製造時の原材料等の残液や匂いが残ることにより後の製品に混ざらないように、異なる製品を製造するごとに、ポンプのみならず三方弁５０やリリーフ管４８等の洗浄も必要となっていた。
【００１６】
しかし、上記のとおり、使用装置等には精密機械が使用され、また、接液するインペラとインペラ、インペラと内面のクリアランスは０．０１〜０．０２ｍｍであり、かなりシビアな設計となっているため、洗浄のためのポンプの分解・洗浄・組立ての工程において、インペラ等に傷がつかないように細心の注意が必要となっていた。
【００１７】
上記ハンディポンプ６１は縦引きのものであり、吐出口６３のねじ部分にバルブ７０を接続し、その先に吐出ホース７１を取付ける構造となっている。そのため、ねじ部分に付着した原料等が腐敗して雑菌が増殖したり、ねじが腐食して剥がれ落ち、雑菌や異物が原料等に混入しやすく、さらに、吐出ホース７１をバルブ７０から外すためには工具が必要で作業性が悪く洗浄しにくいという、分解洗浄面と衛生面での問題があった。
【００１８】
また、吸込パイプ６８はある程度長さが必要であるため、ハンディポンプ６１の総重量は約７Ｋｇとなる。さらに、使用後にタンクからハンディポンプ６１を引き抜く際には、長い吐出ホース７１が接続された状態である。そのため、作業性が悪い上に重量もあり、かなりの重労働であった。
【００１９】
さらに、吸込パイプ６８はその長さのために、内部の表面を滑らかに仕上げることが難しく、汚れが付きやすく洗浄が不十分となっていた。そのため、香料等の匂いが強く落ちにくい原料を扱う場合や、少量多品種の生産を必要とする工程において別種の原料等を同一のポンプで扱う場合は、先に使用した原料等やその匂いが残り、後に使用する原料等に異物や匂い等が混入するという、洗浄作業面と衛生面の問題があった。
【００２０】
本発明の目的は前記従来例の不都合を解消し、作業性が良く、洗浄作業面や衛生面の問題点を解決し、コンパクト化・省エネ化を可能とする小型ポンプを提供することにある。
【課題を解決するための手段】
【００２１】
本発明者らは、上記課題を解決する為に鋭意努力した結果、作業性、洗浄作業面や衛生面の問題点を解決し、コンパクト化・省エネ化を可能とする、ハンディタイプの小型ポンプを見出し、本発明を完成した。すなわち、本発明の要旨は、次のとおりである。
【００２２】
請求項１記載の本発明は、モーターと該モーターで回転駆動するインペラを内蔵する吸引用配管とを有するハンディタイプのポンプにおいて、横引き用としてタンクに接続するもので、吸引用配管の吸引口をタンク側の横引き用吐出口にヘルール接続で脱着可能に接続し、吸引用配管の吐出口にホースアダプタを脱着可能にヘルール接続することを要旨とするものである。
【００２３】
請求項１記載の本発明によれば、複数の脱着可能にヘルール接続の採用で洗浄時には取り外し、分解しやすいもので、小型ポンプの継手をヘルール接続にすることにより、吐出口のねじ部分に付着した原料等が腐敗して雑菌が増殖したり、ねじが腐食して剥がれ落ち、雑菌や異物が原料等に混入することがなくなり、分解洗浄面と、衛生面の向上を図ることができる。
【００２４】
さらに、横引きでハンディタイプの小型ポンプを使用することにより、吸込パイプをなくしヘルール接続とした吸込口を原料タンクに直接接続することができる。
【００２５】
これにより、吸込パイプが不要となるため、従来１ｍあったシャフトを、１０ｃｍから３０ｃｍと短くすることにより、ポンプ全体を短くすることができる。これによりシャフトのぶれを防ぐことができるため、振動が軽減でき、シールもぶれずに液漏れを防ぐことができる。さらに、パイプサポート、シャフトサポート等の部品も不要となり、メンテナンスが容易となる。
【００２６】
請求項２記載の本発明は、タンク側への接続はヘルールレジューサを介することを要旨とするものである。
【００２７】
請求項２記載の本発明によれば、ヘルールレジューサの吸込口側と、サニタリータンクである原料タンクの原料タンク吐出口をヘルール仕様で第１の接続ができる。また、ヘルールレジューサの吸込口と反対側の開口部を、吸引用配管であるヘルールチーズの両端部の一方とをヘルール仕様で第２の接続とできる。さらに吸引用配管の側面に設けられた吐出口と吐出ホースとの接続もヘルール仕様で第３の接続とできる。
【００２８】
これにより、本発明の小型ポンプは、サニタリータンクである原料タンクからの原料の吸込口も、混合タンクへの吐出口も、継手がヘルール仕様であるため、吐出口のねじ部分が不要であり、上記のような雑菌や異物が原料等に混入することがなくなり、分解洗浄面と、衛生面の向上を図ることができる。
【００２９】
また、ヘルールレジューサの両端の開口部のサイズがそれぞれ異なるものが製造されているため、タンクやパイプの開口部とサイズに合ったものを選択して設置することができる。
【００３０】
請求項３記載の本発明は、吸引用配管のメカニカルシール設置部とハウジングの接合部もヘルール接続とすることを要旨とするものである。
【００３１】
請求項３記載の本発明によれば、吸込用配管のメカニカルシール設置部とハウジングの接合部もヘルール接続したため、該接続部分に原料が付着しにくく、かつ、容易にインペラの付いたシャフトと共にメカニカルシールと保護カバーを吸引用配管から引き抜くことができるため、細かな部品も分解洗浄しやすくなり、衛生面の向上を図ることができる。
【００３２】
また、メカニカルシールを配することにより、横引きでの小型ポンプの使用による漏れを防止することができる。
【００３３】
請求項４記載の本発明は、ヘルール接続は、ヘルールガスケットを挟み、相互に接合する外フランジ部をヘルールクランプで脱着固定したことを要旨とするものである。
【００３４】
請求項４記載の本発明によれば、工具を必要とせず、挟持具を横に倒すというワンアクションでヘルールクランプを外すことによりヘルール接続が解除され、吐出ホースを吐出口から容易に外すことができるため、簡便に洗浄作業ができる。
【００３５】
さらに、外フランジ部で、ヘルールガスケットをはさむことにより、シール性が向上し、液漏れせずに横引き仕様で小型ポンプを使用できる。
【００３６】
請求項５記載の本発明は、吸引用配管の吸込口には、狭隘部材（ストレーナー）を配設したことを要旨とするものである。
【００３７】
請求項５記載の本発明によれば、吸引用配管の吸込口に狭隘部材を設置したことにより該吸込口の口径が狭くなり、該吸込口から指が入る危険性のある横引き仕様の小型ポンプでも、インペラに当たる位置まで指が入り込まず、安全に使用できる。
【００３８】
請求項６記載の本発明は、モーターはエアーモーターであり、サイレンサーを付設したことを要旨とするものである。
【００３９】
請求項６記載の本発明によれば、エアーモーターを使用することにより、防爆モーターや防爆スイッチを使用せずとも、引火性の高い原料にも使用することができる。
【００４０】
さらに、エアーモーターは、安全性が高いが騒音があるため、サイレンサーを付設することにより、静音化を図ることができる。
【００４１】
請求項７記載の本発明は、吸引用配管は吐出口をほぼ中央に設けた短いもので、モーターで回転駆動するシャフトも太目で、該シャフトに設けるインペラは吐出口管近傍に位置することを要旨とするものである。
【００４２】
請求項７記載の本発明によれば、従来の縦型ハンディポンプでは、吐出口とインペラは約１ｍ離れた位置に設けるため、長いシャフトが必要となり、ぶれや振動によりポンプの性能が充分に発揮されず、吸込・吐出の効率が悪かった。しかし、吸引用配管として、ヘルールチーズを使用することにより吸込パイプが不要となり、シャフトが短くなることによりシャフトのぶれや振動がなくなり、効率よくポンプが働くため、吸込・吐出の効率が良好となった。
【００４３】
さらに、シャフトが短くなりパイプの構造がシンプルとなったため、シャフトを太くすることができ、一層シャフトのぶれや振動を軽減できた。
【発明の効果】
【００４４】
以上述べたように本発明の小型ポンプは、食品等製造工程や、液体の供給や移送する際等の様々な場面において、オーバースペックなポンプや、大型の複雑な装置や複数のホース等の部品を必要としないシンプルな工程を可能として、設備や施設のコンパクト化、省エネ化、労力・経費の削減化、分解洗浄性・作業性の向上、衛生管理の強化を図ることができるものである。
【図面の簡単な説明】
【００４５】
【図１】本発明の小型ポンプの１実施形態を示す部分縦断正面図である。
【図２】本発明の小型ポンプの１実施形態を示す正面図である。
【図３】本発明の小型ポンプの使用状態を示す説明図である。
【図４】本発明の小型ポンプのヘルールクランプの１実施形態を示す平面図である。
【図５】本発明の小型ポンプのヘルールクランプの１実施形態を示す側面図である。
【図６】従来例のロータリーポンプの使用状態を示す説明図である。
【図７】従来例のハンディポンプを示す正面図である。
【図８】従来例のハンディポンプを示す部分拡大縦断正面図である。
【発明を実施するための形態】
【００４６】
以下本発明を実施するための形態について説明するが、本発明はこれに限定されたものでないことは、言うまでもない。
【００４７】
以下図面について本発明の小型ポンプの実施の形態を詳細に説明する。図１は本発明の小型ポンプの１実施形態を示す部分縦断正面、図２は同正面図で、図中１は小型ポンプを示す。
【００４８】
小型ポンプ１は、ハンディタイプのもので、例えば、サニタリータンクである原料タンク２８ａに横引き仕様として取り付けるものである。
【００４９】
また、小型ポンプ１は、インペラ７を内蔵する吸引用配管６にインペラ７の駆動用モーターを付設するもので、モーターには、電動モーター（１００Ｖ）等の様々なモーターを使用することができるが、本実施形態では、防爆モーター４３や防爆スイッチ４４を使用せずとも、引火性の高い原料にも使用することができるものとしてエアーモーター２３を用いた。
【００５０】
吸引用配管６は吸込口２１と吐出口２２を有するヘルールチーズであり、モーターの駆動軸に金属カラー１４を配したジョイントＡ１５およびジョイントＢ１６からなるメカニカルジョイント２０で接続するシャフト８は吸引用配管６を貫通し、シャフト８の吸込口２１側にインペラ７を設ける。
【００５１】
吸引用配管６は吐出口２２を形成する吐出口管２２ａをほぼ中央に設けた短いもので、エアーモーター２３で回転駆動するシャフト８も太目で、該シャフト８に設けるインペラ７は前記吐出口管２２ａの近傍に位置させた。
【００５２】
これにより、吸込パイプ６８が不要となるため、従来１ｍあったシャフトを、１０ｃｍから３０ｃｍと短くすることにより、ポンプ全体を短くすることができる。これによりシャフト８のぶれを防ぐことができるため、振動が軽減でき、シールもぶれずに液漏れを防ぐことができる。さらに、パイプサポート７６、シャフトサポート７７等の部品も不要となり、メンテナンスが容易となる。
【００５３】
吸引用配管６の吸込口２１にはヘルールレジューサ２を脱着可能に接続し、このヘルールレジューサ２を介してサニタリータンクである原料タンク２８ａの原料タンク吐出口２８ｂが脱着可能に接続される。
【００５４】
ヘルールレジューサ２と吸引用配管６はヘルール仕様のため、外フランジ部１９同士でヘルールガスケット４を挟み、外フランジ部１９を接合してヘルールクランプ３で係止する。
【００５５】
なお、図示は省略するが、原料タンク吐出口２８ｂとヘルールレジューサ２ともヘルール仕様のため、その端部の外フランジ部同士でヘルールガスケットを挟みヘルールクランプで係止する。
【００５６】
吸引用配管６の側部に吐出口２２を設け、該吸引用配管６の内部に回転自在に設けられたシャフト８の吸込口２１側の端部のインペラ７と吸込口２１との間に狭隘部材５を設ける。吸引用配管６の吸込口２１と反対側の端部内側には保護カバー９を配したメカニカルシール１０を付設する。
【００５７】
ハウジング１１内には、オイルシール１２を配し、深溝玉軸受１３を設け、平座金１８を設けた低頭六角穴付きボルト１７で留める。
【００５８】
該エアーモーター２３は、取手の付いたモーターカバー２４で覆い、モーターカバー２４を貫通してエアー供給口２５を設け、モーターカバー２４内部にサイレンサー２６を設ける。
【００５９】
本発明のヘルールクランプ３は、図４、図５に示すように、湾曲アーム３１同士をヒンジ３２で結合し、端部３３を挟持具３４で係止する。ヘルールガスケット４を挟み込んだ外フランジ部１９同士を、ヘルールクランプ３の湾曲アーム３１で挟み込み、挟持具３４で係止して締め付けるものである。
【００６０】
次に、使用法及び動作について説明する。
【００６１】
本発明の小型ポンプの使用法の一例として、図３に示すように、サニタリータンクである原料タンク２８ａの原料タンク吐出口２８ｂに小型ポンプ１の吸込口２１をヘルール接続し、充填タンク２９ｃに接続する混合タンク２９ｂの混合タンク吸込口２９ａと小型ポンプ１の吐出口２２をヘルール接続する。小型ポンプ１は、モーターカバー２４で覆われたエアーモーター２３のエアー供給口２５でコンプレッサー２７に接続する。
【００６２】
また、図示は省略するが、充填タンク２９ｃと混合タンク２９ｂの接続においても本発明の小型ポンプ１を両者間に設置するようにしてもよい。
【００６３】
ヘルール仕様は、サニタリー継手の一つで、ヘルールクランプ３でホース取付用アダプタと接合できるため、外すのも容易で、ねじ部が無いため分解洗浄性が良い。外面・内面共に研磨処理が可能なため表面が滑らかであり、埃や汚れが付いても容易に洗浄でき、分解作業性が高い。
【００６４】
このように、ヘルール接続にすることにより、ねじが腐食して剥がれ落ち雑菌や異物が原料等に混入すること等がなくなり、分解洗浄面と、衛生面の向上を図ることができる。
【００６５】
また、横引きで小型ポンプ１を使用することにより、吸込パイプ６８をなくしヘルール接続とした吸込口２１を原料タンク２８ａに直接接続することができる。
【００６６】
このように、直接接続可能としたことにより、吸込パイプ６８が不要となるため、シャフト８を短くして、ポンプ全体を短くすることができる。
【００６７】
従来のハンディポンプ６１はモーター６５の付け根からプロペラ８１までの距離が約１ｍあったが、本発明の小型ポンプ１は、該距離が約１５ｃｍであり、約６分の１の長さに短くなっている。これにより、シャフト８の長さが１０ｃｍから３０ｃｍ、望ましくは１５ｃｍの長さと短くて済み、シャフト８のぶれを防ぐことができるため、振動が軽減でき、シールもぶれずに液漏れを防ぐことができる。さらに、パイプサポート７６、シャフトサポート７７等の部品も不要となり、メンテナンスが容易となる。
【００６８】
また、シャフト８を短くしたことにより、パイプとして、吸引用配管６を使用することができる。該吸引用配管６は、パイプに比べ、長さが短く、表面・内面共に研磨処理することができ、外面が滑らかなため、埃や汚れが付いても容易に洗浄できる。ローネック等、設置状況により、様々な該吸引用配管６を選択することができる。この構造により、インナーパイプ７５を必要とせず、部品点数を最小限にすることができる。
【００６９】
次に、横引きでの使用による液漏れを防ぐために、メカニカルシール１０を設置した。シャフト８のぶれによるメカニカルシール１０のぶれが問題となるが、小型ポンプ１全体を短くし、シャフト８を太くすることにより、シャフト８のぶれが軽減され、これにより、メカニカルシール１０のぶれを防ぐことができる。
【００７０】
さらに、オイルシール１２を配することにより、ベアリング１３等へ液が通過するのを防ぎ、故障を回避することができる。
【００７１】
また、振動については、上記のとおりシャフト８を太く、短くすることにより、振動によるぶれを低減した。
【００７２】
吸引用配管６の内部に配するインペラ７と吸込口２１の間に狭隘部材５を設置して、インペラ７と吸込口２１の間の管の内径を細くして、吸込口２１から指が入る危険性のある横引きの小型ポンプ１でも、インペラ７に当たる位置まで指が入り込まず、安全に使用でき怪我を防ぐことができる。ストレーナー５は、ポンプの圧力を高める効果もある。
【００７３】
ヘルールクランプ３を使用することにより、工具を必要とせず、挟持具３４を横に倒すというワンアクションでヘルール接続が解除できるため、分解洗浄性が高まり、衛生的に管理できる。また、外フランジ部１９同士で、ヘルールガスケット４をはさむことにより、シール性が向上し、液漏れせずに横引きの小型ポンプ１を使用できる。
【００７４】
モーターは、爆発性のある雰囲気で使用する場合、図６のように防爆モーター４３とすることも考えるが、本発明のとおり、エアーモーター２３を使用することにより、防爆モーター４３や防爆スイッチ４４を使用せずとも、引火性の高い原料にも使用することができる。しかし、エアーモーター２３は、騒音と振動があり、使用上の問題があった。
【００７５】
そこで、騒音については、エアーモーター２３にはモーターカバー２４をかけ、さらにサイレンサー２６をモーターカバー２４内に付設することにより、静音化を図ることができ、安全性が高いエアーモーター２３を使用する環境の改善を図ることができる。さらに、振動については、上記のように、シャフト８を短く太くすることにより、ぶれを少なくでき、振動を軽減させることができる。
【００７６】
最後に、本発明の小型ポンプ１の分解方法について説明する。
【００７７】
（１）ヘルールレジューサ２と吸引用配管６の外フランジ部１９の接続を係止するヘルールクランプ３の端部３３の挟持具３４の係止を外し、外フランジ部１９の間に挟んだヘルールガスケット４を外す。
（２）吸引用配管６内に配設する狭隘部材５を抜く。
（３）吸引用配管６とハウジング１１の外フランジ部１９の接続を係止するヘルールクランプ３の端部３３の挟持具３４の係止を外し、外フランジ部１９の間に挟んだヘルールガスケット４を外す。
（４）インペラ７の付いたシャフト８と共に、メカニカルシール１０と保護カバー９を吸引用配管６から引き抜く。
【００７８】
以上のとおり、本発明の小型ポンプ１の洗浄すべき部品をすべて分解することができるため、それぞれを洗浄することができる。
【産業上の利用可能性】
【００７９】
以上の実施形態は本発明の小型ポンプを食品等製造工程に使用する場合について説明したが、これに限定されず、液体の供給や移送する際等の様々な分野において使用可能なものである。
【符号の説明】
【００８０】
１      小型ポンプ
２      ヘルールレジューサ
３      ヘルールクランプ
４      ヘルールガスケット
５      狭隘部材（ストレーナー）
６      吸引用配管（ヘルールチーズ）
７      インペラ
８      シャフト
９      保護カバー
１０    メカニカルシール
１１    ハウジング
１２    オイルシール
１３    深溝玉軸受
１４    金属カラー
１５    ジョイントＡ
１６    ジョイントＢ
１７    低頭六角穴付ボルト
１８    平座金
１９    外フランジ部
２０    メカニカルジョイント
２１    吸込口
２２    吐出口
２２ａ  吐出口管
２３    エアーモーター
２４    モーターカバー
２５    エアー供給口
２６    サイレンサー
２７    コンプレッサー
２８ａ  原料タンク
２８ｂ  原料タンク吐出口
２９ａ  混合タンク吸込口
２９ｂ  混合タンク
２９ｃ  充填タンク
３１    湾曲アーム
３２    ヒンジ
３３    端部
３４    挟持具
４０    ポンプ一式
４１    ロータリーポンプ
４２    カップリング
４３    防爆モーター
４４    防爆スイッチ
４５    ベース
４６    制御盤
４７    タンク
４８    リリーフ管
４９    フィルター
５０    三方弁
５１    ドレイン
５２    充填機
６１    ハンディポンプ
６２    吸込口
６３    吐出口
６４    ハウジング
６５    モーター
６６    スイッチ
６７    取手
６８    吸込パイプ
６９    逆流防止装置
７０    バルブ
７１    吐出ホース
７２    吐出流路
７３    アウターパイプ
７４    吸引流路
７５    インナーパイプ
７６    パイプサポート
７７    シャフトサポート
７８    シャフト
７９    モーター軸
８０    キャップ
８１    プロペラ
８２    ヘッド
８３    流入流路
８４    第１逆止弁
８５    第２逆止弁
８６    解除機構
８７    第１弁体
８８    第２弁体
【図１】
2015206338.tif 000003
【図２】
2015206338.tif 000004
【図３】
2015206338.tif 000005
【図４】
2015206338.tif 000006
【図５】
2015206338.tif 000007
【図６】
2015206338.tif 000008
【図７】
2015206338.tif 000009
【図８】
2015206338.tif 000010